【手続補正書】
【提出日】平成24年7月2日(2012.7.2)
【手続補正１】
【補正対象書類名】特許請求の範囲
【補正対象項目名】全文
【補正方法】変更
【補正の内容】
【特許請求の範囲】
【請求項１】
一対の電極間に、燐光を発光する有機金属錯体を含む層を有し、
前記有機金属錯体は、テトラヒドロキノキサリンを骨格に含む配位子が中心金属と結合しており、
前記中心金属はイリジウムまたは白金であることを特徴とする発光素子。
【請求項２】
請求項１において、
前記配位子は、下記一般式で表される配位子であることを特徴とする発光素子。
【化１】
2012134509.tif 000001
（式中、Ｒ４９、Ｒ５０は、それぞれ、水素、メチル基、フルオロ基、−ＣＦ３基、メトキシ基、フェニル基のいずれかを表す。）
【請求項３】
請求項１において、
前記配位子は、下記一般式で表される配位子であることを特徴とする発光素子。
【化２】
2012134509.tif 000002
（式中、Ｒ５１〜Ｒ５４は、それぞれ、メチル基、フルオロ基、−ＣＦ３基、メトキシ基、フェニル基のいずれかを表す。）
【請求項４】
請求項１において、
前記配位子は、下記一般式で表される配位子であることを特徴とする発光素子。
【化３】
2012134509.tif 000003
（式中、Ｒ５５〜Ｒ６０は、それぞれ、メチル基、フルオロ基、−ＣＦ３基、メトキシ基のいずれかを表す。）
【請求項５】
請求項１において、
前記有機金属錯体は、一般式（１）で表される構造を含む有機金属錯体であることを特徴とする発光素子。
【化４】
2012134509.tif 000004
（式中、Ｒ１、Ｒ２は、それぞれ、水素、アルキル基、ハロゲン基、−ＣＦ３、アルコキシ基、アリール基のいずれかを表す。また、Ｍは第９族元素または第１０族元素を表す。）
【請求項６】
請求項１において、
前記有機金属錯体は、一般式（３）で表される構造を含む有機金属錯体であることを特徴とする発光素子。
【化５】
2012134509.tif 000005
（式中、Ｒ５、Ｒ６は、それぞれ、水素、炭素数１〜４のアルキル基、ハロゲン基、−ＣＦ３、炭素数１〜４のアルコキシ基、フェニル基のいずれかを表す。）
【請求項７】
請求項１において、
前記有機金属錯体は、一般式（５）で表される構造を含む有機金属錯体であることを特徴とする発光素子。
【化６】
2012134509.tif 000006
（式中、Ｒ９〜Ｒ１２は、水素、アルキル基、ハロゲン基、−ＣＦ３、アルコキシ基、アリール基のいずれかを表す。また、Ｍは第９族元素または第１０族元素を表す。）
【請求項８】
請求項１において、
前記有機金属錯体は、一般式（７）で表される構造を含む有機金属錯体であることを特徴とする発光素子。
【化７】
2012134509.tif 000007
（式中、Ｒ１７〜Ｒ２０は、それぞれ、水素、炭素数１〜４のアルキル基、ハロゲン基、−ＣＦ３、炭素数１〜４のアルコキシ基、フェニル基のいずれかを表す。）
【請求項９】
請求項１において、
前記有機金属錯体は、一般式（９）で表される構造を含む有機金属錯体であることを特徴とする発光素子。
【化８】
2012134509.tif 000008
（式中、Ｒ２５〜Ｒ３０は、それぞれ、水素、アルキル基、ハロゲン基、−ＣＦ３、アルコキシ基のいずれかを表す。また、Ｍは第９族元素または第１０族元素を表す。）
【請求項１０】
請求項１において、
前記有機金属錯体は、一般式（１１）で表される構造を含む有機金属錯体であることを特徴とする発光素子。
【化９】
2012134509.tif 000009
（式中、Ｒ３７〜Ｒ４２は、それぞれ、水素、炭素数１〜４のアルキル基、ハロゲン基、−ＣＦ３、炭素数１〜４のアルコキシ基のいずれかを表す。）
【請求項１１】
一対の電極間に、
一般式（２）で表される有機金属錯体を含む層を有することを特徴とする発光素子。
【化１０】
2012134509.tif 000010
（式中、Ｒ３、Ｒ４は、それぞれ、水素、アルキル基、ハロゲン基、−ＣＦ３、アルコキシ基、アリール基のいずれかを表す。また、Ｍは第９族元素または第１０族元素を表す。また、Ｌはモノアニオン性の配位子を表す。ｎは、Ｍが９族元素であるときはｎ＝２、Ｍが１０族元素であるときはｎ＝１である。）
【請求項１２】
一対の電極間に、
一般式（４）で表される有機金属錯体を含む層を有することを特徴とする発光素子。
【化１１】
2012134509.tif 000011
（式中、Ｒ７、Ｒ８は、それぞれ、水素、炭素数１〜４のアルキル基、ハロゲン基、−ＣＦ３、炭素数１〜４のアルコキシ基、フェニル基のいずれかを表す。また、Ｌはモノアニオン性の配位子を表す。）
【請求項１３】
一対の電極間に、
一般式（６）で表される有機金属錯体を含む層を有することを特徴とする発光素子。
【化１２】
2012134509.tif 000012
（式中、Ｒ１３〜Ｒ１６は、それぞれ、水素、アルキル基、ハロゲン基、−ＣＦ３、アルコキシ基、アリール基のいずれかを表す。また、Ｍは第９族元素または第１０族元素を表す。また、Ｌはモノアニオン性の配位子を表す。ｎは、Ｍが９族元素であるときはｎ＝２、Ｍが１０族元素であるときはｎ＝１である。）
【請求項１４】
一対の電極間に、
一般式（８）で表される有機金属錯体を含む層を有することを特徴とする発光素子。
【化１３】
2012134509.tif 000013
（式中、Ｒ２１〜Ｒ２４は、それぞれ、水素、炭素数１〜４のアルキル基、ハロゲン基、−ＣＦ３、炭素数１〜４のアルコキシ基、フェニル基のいずれかを表す。また、Ｌはモノアニオン性の配位子を表す。）
【請求項１５】
一対の電極間に、
一般式（１０）で表される有機金属錯体を含む層を有することを特徴とする発光素子。
【化１４】
2012134509.tif 000014
（式中、Ｒ３１〜Ｒ３６は、それぞれ、水素、アルキル基、ハロゲン基、−ＣＦ３、アルコキシ基のいずれかを表す。また、Ｌはモノアニオン性の配位子を表す。ｎは、Ｍが９族元素であるときはｎ＝２、Ｍが１０族元素であるときはｎ＝１である。）
【請求項１６】
一対の電極間に、
一般式（１２）で表される有機金属錯体を含む層を有することを特徴とする発光素子。
【化１５】
2012134509.tif 000015
（式中、Ｒ４３〜Ｒ４８は、それぞれ、水素、炭素数１〜４のアルキル基、ハロゲン基、−ＣＦ３、炭素数１〜４のアルコキシ基のいずれかを表す。また、Ｌはモノアニオン性の配位子を表す。）
【請求項１７】
請求項１１乃至請求項１６のいずれか一項において、
前記モノアニオン性の配位子は、構造式（１）乃至構造式（７）のいずれかで表される配位子であることを特徴とする発光素子。
【化１６】
2012134509.tif 000016
【請求項１８】
一対の電極間に、
一般式（１３）で表される有機金属錯体を含む層を有することを特徴とする発光素子。
【化１７】
2012134509.tif 000017
（式中、Ｒ６１、Ｒ６２は、それぞれ、水素またはフッ素を表す。また、Ｍは、イリジウムまたは白金を表す。また、Ｌは構造式（３６）〜（３８）のいずれかで表される配位子を表す。ｎは、Ｍがイリジウムであるときはｎ＝２、Ｍが白金であるときはｎ＝１である。）
【化１８】
2012134509.tif 000018
【請求項１９】
請求項１乃至請求項１８のいずれか一項において、
前記有機金属錯体を含む層は発光層であることを特徴とする発光素子。
【請求項２０】
請求項１乃至請求項１９のいずれか一項に記載の発光素子を画素または光源として用いていることを特徴とする発光装置。
【請求項２１】
請求項２０に記載の発光装置を含むことを特徴とする電子機器。